(57)【要約】【課題】高圧電線の加圧状態を確実に且つ認識し易い態様で作業者に知らせることができる電線の加圧状態表示装置を提供する。【解決手段】グランドとの間に対地間静電容量Ｃ１を生じる銅板２２を設置し、交流の高電圧が加圧される電線３２と銅板２２の間に発生する電圧を測定する加圧検知回路３３を設ける。そして、電線３２と銅板２２の間に所定レベルの電圧が発生した場合には、電線３２が加圧状態であると判断して、赤色ＬＥＤ２５を点灯させ、電線３２と銅板２２の間に電圧が発生しない場合には、電線３２は加圧状態でないと判断して、青色ＬＥＤ２６を点灯させる。従って、作業者は電線３２が加圧されているか否かを確実に認識することができる。【選択図】図５
2011153927.tif 000002
【特許請求の範囲】
【請求項１】
交流電力送電用の電線に固定され、該電線の加圧状態を検知して表示する加圧状態表示装置において、
蓄電手段と、
第１の照明手段、及び前記第１の照明手段とは発光色が異なる第２の照明手段と、
グランドとの間で対地間静電容量を形成する導電体と、
前記電線と前記導電体との間に設けられ、該電線、導電体間に生じる電圧に基づいて前記電線が加圧されているか否かを検出する加圧検知手段と、
前記蓄電手段より電力が供給されて駆動し、前記加圧検知手段にて前記電線の加圧が検知された場合に前記第１の照明手段を点灯させ、前記電線の加圧が検知されない場合に前記第２の照明手段を点灯させる照明制御手段と、
を備えたことを特徴とする電線の加圧状態表示装置。
【請求項２】
太陽光発電手段を更に備え、該太陽光発電手段で発電された電力を前記蓄電手段に充電することを特徴とする請求項１に記載の電線の加圧状態表示装置。
【請求項３】
前記太陽光発電手段が発電しているか否かを検知する発電検知手段を更に備え、
前記照明制御手段は、前記発電検知手段にて前記太陽光発電手段による発電が検知されているときには、発電が検知されていないときよりも、前記第１の照明手段或いは第２の照明手段を点灯する際の明るさを増大させることを特徴とする請求項２に記載の電線の加圧状態表示装置。
【請求項４】
前記第１の照明手段、及び前記第２の照明手段は、それぞれ複数個のＬＥＤからなり、前記照明制御手段は、点灯するＬＥＤの個数を変更することにより、明るさを増減することを特徴とする請求項３に記載の電線の加圧状態表示装置。
【発明の詳細な説明】
【技術分野】
【０００１】
本発明は、電線が加圧されているか否かを検出し、この検出結果を表示して作業者に知らせる電線の加圧状態表示装置に関する。
【背景技術】
【０００２】
例えば、変電所の構内では、高電圧が加圧される電線及びその周辺機器のメンテナンスを行う際には、専用の検電装置を用いて電線が加圧されていないことを確認する。しかし、電線が加圧されているか否かは、作業者が目視で確認することができないので、加圧状態でないことが確認されているとはいえ、常に注意力をもって作業をする必要があり、作業者に多くの労力を強いることになっていた。
【０００３】
そこで、電線の加圧状態を目視可能とするために、例えば、特開平７−３１１２２６号公報（特許文献１）に開示されているように、交流高電圧が加圧される電線とグランドとの間に生じる電圧を検出し、この電圧を用いて液晶表示回路を駆動させ、電線の加圧状態を表示する表示装置が提案されている。
【先行技術文献】
【特許文献】
【０００４】
【特許文献１】特開平７−３１１２２６号公報
【発明の概要】
【発明が解決しようとする課題】
【０００５】
しかしながら、上述した特許文献１に開示された従来例は、電線に生じる電圧を電力として液晶表示回路を駆動させる方式であるので、液晶表示回路に供給可能な電力に限りがあり、作業者が容易に認識できる程度の明るさで電線の加圧状態を表示することができない。また、液晶表示回路の駆動電力は、電線が加圧されている場合にのみ得られるので、電線が加圧されていない場合には電力が供給されず、電線が加圧状態でないことを表示することができない。即ち、電線が加圧状態である場合にのみ、これを作業者に知らせることができる。
【０００６】
従って、例えば液晶表示回路が故障している場合には、電線が加圧されているにも関わらず加圧状態が表示されないことになり、作業者は電線が加圧されていないのか、或いは液晶表示回路に故障が発生しているのかの判断ができない。このため、液晶表示装置に加圧状態が表示されていない場合であっても、安全確認のために検電装置を用いて加圧状態を検知する作業が必要となっていた。
【０００７】
本発明は、このような従来の課題を解決するためになされたものであり、その目的とするところは、電線の加圧状態を確実に、且つ認識し易い態様で作業者に知らせることができる電線の加圧状態表示装置を提供することにある。
【課題を解決するための手段】
【０００８】
上記目的を達成するため、本願請求項１に記載の発明は、交流電力送電用の電線に固定され、該電線の加圧状態を検知して表示する加圧状態表示装置において、蓄電手段と、第１の照明手段、及び前記第１の照明手段とは発光色が異なる第２の照明手段と、グランドとの間で対地間静電容量を形成する導電体と、前記電線と前記導電体との間に設けられ、該電線、導電体間に生じる電圧に基づいて前記電線が加圧されているか否かを検出する加圧検知手段と、前記蓄電手段より電力が供給されて駆動し、前記加圧検知手段にて前記電線の加圧が検知された場合に前記第１の照明手段を点灯させ、前記電線の加圧が検知されない場合に前記第２の照明手段を点灯させる照明制御手段と、を備えたことを特徴とする。
【０００９】
請求項２に記載の発明は、請求項１の発明において、太陽光発電手段を更に備え、該太陽光発電手段で発電された電力を前記蓄電手段に充電することを特徴とする。
【００１０】
請求項３に記載の発明は、請求項２の発明において、前記太陽光発電手段が発電しているか否かを検知する発電検知手段を更に備え、前記照明制御手段は、前記発電検知手段にて前記太陽光発電手段による発電が検知されているときには、発電が検知されていないときよりも、前記第１の照明手段或いは第２の照明手段を点灯する際の明るさを増大させることを特徴とする。
【００１１】
請求項４に記載の発明は、請求項３の発明において、前記第１の照明手段、及び前記第２の照明手段は、それぞれ複数個のＬＥＤからなり、前記照明制御手段は、発光させるＬＥＤの個数を変更することにより、明るさを増減することを特徴とする。
【発明の効果】
【００１２】
請求項１の発明では、グランドとの間で対地間静電容量を形成する導電体（例えば、銅板２２）を設け、電線と導電体との間に生じる電圧に基づいて、電線が加圧状態であるか否かを判定する。また、照明制御手段には、蓄電手段より電力が供給されており、電線が加圧状態であるときにはこの電力を用いて第１の照明手段（例えば、赤色ＬＥＤ２５）を点灯させ、電線が加圧状態でないときには、第２の照明手段（例えば、青色ＬＥＤ２６）を点灯させる。このため、常に第１の照明手段及び第２照明手段のうちのいずれか一方が点灯することになり、作業者に対して現在の加圧状態を確実に認識させることができる。また、第１の照明手段及び第２の照明手段の双方が消灯している場合には、装置に故障が発生したものと判断できるので、装置故障に対していち早く対応することができる。
【００１３】
請求項２の発明では、太陽光発電手段（例えば、ソーラーパネル１９）を設け、この太陽光発電手段で発電された電力を用いて蓄電手段を充電するので、蓄電手段を常時充電状態としておくことができ、第１の照明手段、及び第２の照明手段に供給する電力を確保することができる。
【００１４】
請求項３の発明では、発電検知手段により太陽光発電手段の発電状態を検知し、該太陽光発電手段が発電しているときには、周囲が明るいものと判断し（例えば、昼間）、第１の照明手段または第２の照明手段を高輝度で点灯させ、太陽光発電手段が発電していないときには、周囲が暗いものと判断し（例えば、夜間）、第１の照明手段または第２の照明手段を低輝度で点灯させる。従って、周囲が明るい場合でも確実に第１の照明手段及び第２の照明手段の点灯を認識することができ、且つ、周囲が暗い場合には輝度を低下させることにより第１の照明手段及び第２の照明手段での消費電力を低減することができる。
【００１５】
請求項４の発明では、第１の照明手段及び第２の照明手段をそれぞれ複数個のＬＥＤで構成し、点灯するＬＥＤの個数を変更することにより、第１の照明手段及び第２の照明手段の点灯時の明るさを調整するので、輝度調整を容易に行うことができる。
【図面の簡単な説明】
【００１６】
【図１】本発明の一実施形態に係る加圧状態表示装置の正面視の断面図である。
【図２】本発明の一実施形態に係る加圧状態表示装置の側面図である。
【図３】本発明の一実施形態に係る加圧状態表示装置の平面図である。
【図４】本発明の一実施形態に係る加圧状態表示装置の下面図である。
【図５】本発明の一実施形態に係る加圧状態表示装置に設けられる制御回路の構成を示すブロック図である。
【図６】本発明の一実施形態に係る加圧状態表示装置に設けられるＬＥＤを低輝度で点灯させる際の、各ＬＥＤを点灯させる時間帯を示すタイミングチャート図である。
【図７】本発明の一実施形態に係る加圧状態表示装置に設けられるＬＥＤを高輝度で点灯させる際の、各ＬＥＤを点灯させる時間帯を示すタイミングチャート図である。
【図８】本発明の一実施形態に係る加圧状態表示装置に用いられる発電検知部の構成を示す説明図である。
【発明を実施するための形態】
【００１７】
以下、本発明の実施形態を図面に基づいて説明する。図１〜図４は、本発明の一実施形態に係る加圧状態表示装置の構成を示す説明図であり、図１は正面視の断面図、図２は側面図、図３は平面図、図４は下面図である。
【００１８】
各図に示すように、本実施形態に係る加圧状態表示装置１００は、装置の各構成部材を収納する外装ケース１１と、該外装ケース１１の上部開口を密閉する外装カバー１２を備えている。外装ケース１１は、頂部が下方を向く円錐形状をなす円錐部１１ａと、この円錐部１１ａの上側に設けられ、円筒形状をなし且つ上端部が略矩形状となって開口される円筒部１１ｂを備えている。
【００１９】
また、外装カバー１２は、平面視が略矩形状をなし、その中央部にクランプ板１３が形成されている。そして、該クランプ板１３には、当該加圧状態表示装置１００全体を電線３２に固定するための２つの取付金具１４ａ，１４ｂがボルト・ナット１５により固定されている。
【００２０】
各取付金具１４ａ，１４ｂは、その断面形状が略半円形状の窪み部を備えており、この窪み部内に電線３２を挿入した後に、上部のボルト・ナット１７を締め付けて、当該加圧状態表示装置１００を変電所等に敷設される電線３２に固定することができる。なお、各取付金具１４ａ，１４ｂの窪み部の形状は、取付対象となる電線３２の径に応じて変更することができる。
【００２１】
外装カバー１２の中央部は、矩形状の透明板１６（例えば、透明アクリル板等；図３参照）で構成され、外装カバー１２の上方から照射される太陽光が外装ケース１１内に照射されるようになっている。また、外装ケース１１の内部には、横板１８ａと２枚の縦板１８ｂからなるブラケット１８が設けられており（図１参照）、横板１８ａの上面には、２枚のソーラーパネル（太陽光発電手段）１９が設置されている。これらのソーラーパネル１９は、外装カバー１２の透明板１６と対向配置されているので、該透明板１６を介して太陽光が照射された際には、この太陽光を吸収して発電する。
【００２２】
また、ブラケット１８の２枚の縦板１８ｂの外側には、それぞれ電池ボックス２０が設けられ、各電池ボックス２０内にはそれぞれ円筒形状の電池（蓄電手段）２８が収納されている。この電池２８は、ソーラーパネル１９と電気的に接続されており、該ソーラーパネル１９で発電された電力が供給されて、充電されるようになっている。
【００２３】
ブラケット１８の横板１８ａの下方で、２枚の縦板１８ｂの間となる部分には、コントロールボックス２１が設けられ、該コントロールボックス２１内には、後述する制御回路３１（図５参照）が収納されている。また、コントロールボックス２１の上側には、グランドとの間で対地間静電容量Ｃ１（後述）を形成する銅板（導電体）２２が設けられている。
【００２４】
更に、コントロールボックス２１の下端面には、固定ピン２３が下方に向けて立設されており、該固定ピン２３にはＬＥＤ基板２４が取り付けられている。該ＬＥＤ基板２４には、図４に示すように、赤色ＬＥＤ２５及び青色ＬＥＤ２６が交互に、且つ円形状をなすようにそれぞれ４個ずつ設けられている。即ち、合計８個のＬＥＤが円形状に並べられている。各ＬＥＤ２５，２６とＬＥＤ基板２４との間には、コントロールボックス２１、或いは電池２８が外部から見えないようにするための目隠し板２７が設けられている。
【００２５】
外装カバー１２の上面の適所には、コントロールボックス２１内に設けられる制御回路３１の駆動、停止を切り替えるための電源スイッチ２９（図３参照）が設けられている。外装ケース１１の、目隠し板２７よりも上側となる部分は遮光板で形成され、下側となる部分は透明板で形成されている。従って、外装ケース１１内の目隠し板２７よりも下側となる部分が外部から視認できるようになっている。
【００２６】
次に、コントロールボックス２１内に設けられる制御回路３１について説明する。図５は、本実施形態に係る加圧状態表示装置１００が有する制御回路３１、及び周辺機器の構成を示すブロック図である。図５に示すように、この制御回路３１は、交流の高圧電源４３より出力される高電圧（例えば、３０ＫＶ、６０ＫＶ等）が加圧される電線３２と銅板２２との間に生じる電圧に基づいて、該電線３２が加圧状態であるか否かを検知する加圧検知回路３３と、発電検知部３４、及びＬＥＤ制御回路（照明制御手段）３５、を備えている。
【００２７】
加圧検知回路３３は、ダイオード、ツェナーダイオード、コンデンサ、及びバッファを備えており、電線３２に高電圧が加圧されている場合、即ち、高圧電源４３の出力電圧が電線３２とグランドとの間に加えられている場合には、Ｈレベルの信号を出力し、加圧されていない場合には、Ｌレベルの信号を出力する。即ち、銅板２２と電線３２との間には所定の大きさのインピーダンスが生じ、且つ、銅板２２とグランドとの間には対地間静電容量Ｃ１に起因するインピーダンスが生じるので、各インピーダンスの比率に応じて電線３２と銅板２２の間に電圧が発生し、且つ電流が流れる。従って、電線３２が加圧状態である場合には、加圧検知回路３３の出力信号はＨレベルとなり、加圧状態でない場合には加圧検知回路３３の出力信号はＬレベルとなる。
【００２８】
発電検知部３４は、ソーラーパネル１９が発電しているか否かを検知するものであり、図８に示すように、ソーラーパネル１９に設けられるプラス電極とマイナス電極との間に発生する電圧を検出し、この電圧が所定電圧以上である場合には、発電しているものと判断し、所定電圧未満である場合には、発電していないものと判断する。なお、上記の所定電圧は、ソーラーパネル１９の最大発電電圧（例えば、６Ｖ）に基づいて適宜設定することができる。
【００２９】
ＬＥＤ制御回路３５は、例えばマイコンで構成され各赤色ＬＥＤ２５、及び各青色ＬＥＤ２６に供給する電力を制御して点灯、消灯を制御し、且つ点灯時の明るさを制御するものであり、発光選択処理部４１、及び輝度選択処理部４２を備えている。
【００３０】
発光選択処理部４１は、加圧検知回路３３よりＨレベルの信号が出力された場合に、赤色ＬＥＤ２５を点灯させ、且つ青色ＬＥＤ２６を消灯させる。また、加圧検知回路３３よりＬレベルの信号が出力された場合に、青色ＬＥＤ２６を点灯させ、且つ赤色ＬＥＤ２５を消灯させる。
【００３１】
この際、各ＬＥＤ２５，２６の点灯方法としては、例えば、赤色ＬＥＤ２５を点灯させる場合に、４個設けられている赤色ＬＥＤ２５のうち、点灯する時間帯を４分割して各赤色ＬＥＤ２５を時間差をもって点滅させる。即ち、４個の各赤色ＬＥＤ２５をそれぞれ符号２５ａ、２５ｂ、２５ｃ、２５ｄで示すと、図６（ａ）に示すように、ｔ１〜ｔ２に示す時間帯で赤色ＬＥＤ２５ａを点灯させ、ｔ２〜ｔ３に示す時間帯で赤色ＬＥＤ２５ｂを点灯させ、ｔ３〜ｔ４に示す時間帯で赤色ＬＥＤ２５ｃを点灯させ、更に、ｔ４〜ｔ５に示す時間帯で赤色ＬＥＤ２５ａを点灯させることにより、全体として赤色が継続して点灯しているように見せる。即ち、４個の各赤色ＬＥＤ２５（２５ａ〜２５ｄ）をそれぞれ図中「ＬＯＮ１」で示す時間帯で点灯、消灯させることにより、全体として赤色が継続して点灯するように制御する。また、図７（ａ）〜（ｄ）に示すように、各赤色ＬＥＤ２５（２５ａ〜２５ｄ）の点灯時間にインターバル時間（全てのＬＥＤ２５が点灯しない時間帯）を設けるようにしても良い。
【００３２】
輝度選択処理部４２は、ソーラーパネル１９で発電されていることが発電検知部３４にて検知されているときには、検知されていないときよりも赤色ＬＥＤ２５或いは青色ＬＥＤ２６を点灯する際の輝度が高くなるように制御する。この制御を赤色ＬＥＤ２５の場合を例に挙げて説明すると、例えば、図７（ａ）〜（ｄ）のｔ１〜ｔ５で発生する各パルス（１回の周期でパルス５個分）で赤色ＬＥＤ２５を点灯させることにより、高い輝度で赤色ＬＥＤ２５を点灯させる。
【００３３】
他方、ソーラーパネル１９による発電が検知されていないときには、図７（ａ）〜（ｄ）のｔ１〜ｔ３の時刻に発生する各パルス（１回の周期でパルス３個分）で赤色ＬＥＤ２５を点灯させることにより、低い輝度で赤色ＬＥＤ２５を点灯させる。
【００３４】
従って、発電検知部３４にてソーラーパネル１９による発電が検知されている場合には、赤色ＬＥＤ２５の輝度を高くすることが可能となる。
【００３５】
また、他の制御方法として、赤色、青色の各ＬＥＤ２５，２６をＰＷＭ信号で点灯するように構成し、デューティ比を変更することにより、各ＬＥＤ２５，２６の輝度を調整するように構成しても良い。
【００３６】
次に、上述のように構成された本実施形態に係る加圧状態表示装置１００の動作について説明する。まず、加圧状態表示装置１００を設置する際には、電源スイッチ２９をオフとした状態で、２個の取付金具１４ａ，１４ｂ（図１参照）の窪み部に、検知対象となる電線３２を挿入し、この状態でボルト・ナット１７を締結して固定する。このため、加圧状態表示装置１００全体が電線３２に宙吊りになった状態で固定されることになる。従って、作業者は、加圧状態表示装置１００を下方から視認することになり、図４に示すように、赤色ＬＥＤ２５による照明光、或いは青色ＬＥＤ２６による照明光のいずれかを視認することができる。なお、取り付ける対象となる電線３２は、被覆電線でも良いし、裸電線でも良い。
【００３７】
作業者は、加圧状態表示装置１００が電線３２に確実に固定されたことを確認した後、電源スイッチ２９をオンとする。これにより、電池２８と制御回路３１が電気的に接続されるので、電池２８に充電されている電力が制御回路３１に供給され、該制御回路３１による制御が開始される。
【００３８】
そして、制御回路３１内のＬＥＤ制御回路３５は、以下の（ａ）〜（ｄ）の条件で各ＬＥＤ２５，２６を点灯させる。
【００３９】
（ａ）加圧検知回路の出力がＨ、ソーラーパネルで発電している場合
赤色ＬＥＤ２５を高輝度で点灯させる。これにより、変電所等で作業する作業者は赤色の照明光を視認することができ、この電線に高電圧が加圧されていることを認識することができる。また、昼間のように周囲が明るい場合でも、輝度が高いので赤色ＬＥＤ２５による照明光を認識し易くすることができる。
【００４０】
（ｂ）加圧検知回路の出力がＨ、ソーラーパネルで発電していない場合
赤色ＬＥＤ２５を低輝度で点灯させる。これにより、変電所等で作業する作業者は赤色の照明光を視認することができ、この電線に高電圧が加圧されていることを認識することができる。また、夜間のように周囲が暗い場合に、赤色ＬＥＤ２５の輝度が低いので、該赤色ＬＥＤ２５による消費電力を低減でき、電池２８の充電電力の消耗を防止できる。
【００４１】
（ｃ）加圧検知回路の出力がＬ、ソーラーパネルで発電している場合
青色ＬＥＤ２６を高輝度で点灯させる。これにより、変電所等で作業する作業者は青色の照明光を視認することができ、この電線に高電圧が加圧されていないことを認識することができる。また、昼間のように周囲が明るい場合でも、輝度が高いので青色ＬＥＤ２６による照明光を認識し易くすることができる。
【００４２】
（ｄ）加圧検知回路の出力がＬ、ソーラーパネルで発電していない場合
青色ＬＥＤ２６を低輝度で点灯させる。これにより、変電所等で作業する作業者は青色の照明光を視認することができ、この電線に高電圧が加圧されていないことを認識することができる。また、夜間のように周囲が暗い場合に、青色ＬＥＤ２６の輝度が低いので、該青色ＬＥＤ２６による消費電力を低減でき、電池２８の充電電力の消耗を防止できる。
【００４３】
このようにして、本実施形態に係る加圧状態表示装置１００では、電線３２に高圧電源４３より出力される交流電圧が加圧されているか否かを検知し、加圧されている場合には、赤色ＬＥＤ２５を点灯させ、加圧されていない場合には青色ＬＥＤ２６を点灯させる。従って、作業者は照明光の色を判断して、電線３２の加圧状態を認識することができる。また、電源スイッチ２９をオンとしている場合には、赤色ＬＥＤ２５或いは青色ＬＥＤ２６のいずれか一方が常に点灯するので、例えば、制御回路３１に故障が発生して赤色ＬＥＤ２５及び青色ＬＥＤ２６の双方が消灯した場合には、作業者は即時に装置の故障を知ることができ、他の検電装置を用いた加圧状態の検知を行う等の対応を採ることができる。従って、装置の故障時においても安全に対応することができる。
【００４４】
更に、ソーラーパネル１９の発電状態を検知し、ソーラーパネル１９が発電しているときには、周囲が明るいものと判断し（例えば、昼間）、赤色ＬＥＤ２５または青色ＬＥＤ２６を高輝度で点灯させ、ソーラーパネル１９が発電していないときには、周囲が暗いものと判断し（例えば、夜間）、赤色ＬＥＤ２５または青色ＬＥＤ２６を低輝度で点灯させる。従って、周囲が明るい場合でも確実にＬＥＤ２５，２６の点灯を認識することができ、且つ、周囲が暗い場合には輝度を低下させることにより消費電力を低減することができる。
【００４５】
また、ソーラーパネル１９の発電状態に基づいて、周囲の明るさを判断するので、別途明るさを検出するためのセンサを用いる必要がない。このため、装置規模を拡大することなく、周囲の明るさを判断して各ＬＥＤ２５，２６の輝度を調整することができる。
【００４６】
更に、ＬＥＤ２５，２６の点灯時間ＬＯＮ１（図６参照）の変更と点灯回数を変更することにより明るさの増減を調整するので、輝度調整を容易に行うことができる。
【００４７】
以上、本発明の電線の加圧状態表示装置１００を図示の実施形態に基づいて説明したが、本発明はこれに限定されるものではなく、各部の構成は、同様の機能を有する任意の構成のものに置き換えることができる。
【００４８】
例えば、上述した実施形態では、照明手段としてＬＥＤを用いる例について説明したが、蛍光灯等の他の照明手段を用いることも可能である。また、上述した実施形態では、電線３２が加圧されているときには赤色ＬＥＤ２５を点灯させ、加圧されていないときには青色ＬＥＤ２６を点灯する例について説明したが、発光色は赤色、青色に限定されず、任意の色とすることができる。
【００４９】
更に、上述した実施形態では、赤色ＬＥＤまたは青色ＬＥＤを点灯する例について説明したが、所定の周期で点滅させるようにして注意を促すようにしても良い。
【００５０】
また、上述した実施形態では、ソーラーパネル１９を設置し、該ソーラーパネル１９で発電された電力を電池（蓄電手段）２８に充電する例について説明したが、ソーラーパネル１９を設置せずに、通常の交換式の電池を用いる構成とすることも可能である。
【産業上の利用可能性】
【００５１】
本発明は、変電所の構内に設けられる電線の加圧状態を知らせることに利用することができる。
【符号の説明】
【００５２】
１１  外装ケース
１１ａ  円錐部
１１ｂ  円筒部
１２  外装カバー
１３  クランプ板
１４ａ，１４ｂ  取付金具
１５  ボルト・ナット
１６  透明板
１７  ボルト・ナット
１８  ブラケット
１８ａ  横板
１８ｂ  縦板
１９  ソーラーパネル（太陽光発電手段）
２０  電池ボックス
２１  コントロールボックス
２２  銅板（導電体）
２３  固定ピン
２４  ＬＥＤ基板
２５  赤色ＬＥＤ（第１の照明手段）
２６  青色ＬＥＤ（第２の照明手段）
２７  目隠し板
２８  電池（蓄電手段）
２９  電源スイッチ
３１  制御回路
３２  電線
３３  加圧検知回路（加圧検知手段）
３４  発電検知部（発電検知手段）
３５  ＬＥＤ制御回路（照明制御手段）
４１  発光選択処理部
４２  輝度選択処理部
４３  高圧電源
１００  加圧状態表示装置
【図１】
2011153927.tif 000003
【図２】
2011153927.tif 000004
【図３】
2011153927.tif 000005
【図４】
2011153927.tif 000006
【図５】
2011153927.tif 000007
【図６】
2011153927.tif 000008
【図７】
2011153927.tif 000009
【図８】
2011153927.tif 000010